(57)【要約】【課題】  大きな地震に対しても十分な強度を有し、かつ基礎となる鋼管部材と建造物の縦筋位置とがずれても容易に対処が可能な基礎の施工方法を提供する。【解決手段】  横方向に複数設けられる縦筋２８ａ〜２８ｄを保持するための基礎の施工方法は、縦筋２８ａ〜２８ｄの立設位置近傍に複数の縦穴を掘削し、縦穴内に鋼管部材１５を、縦穴の掘削深度よりも深い位置まで打ち込む。鋼管部材１５の各々の内部に上部が水平方向に曲げられた鋼管挿入筋２１を挿入し、それによって、横方向に延びる複数の鋼管挿入筋２１が配置され、複数の鋼管挿入筋２1の上で縦筋２８ａ〜２８ｄが配設される方向に横筋２４ａ〜２４ｃを配置する。縦筋２８ａ〜２８ｄは、下部が横方向に曲げられており、縦筋２８ａ〜２８ｄの曲げられた部分と横筋２４ａ〜２４ｃとを結合し、それによって、縦筋２８ａ〜２８ｄをその配設方向において所定の間隔に配置する。【選択図】      図６
2005290804.tif 000002
【特許請求の範囲】
【請求項１】
第１の方向に複数設けられる縦筋を保持するための基礎の施工方法であって、
前記縦筋の立設位置近傍に複数の縦穴を掘削し、
前記縦穴内に鋼管部材を、前記縦穴の掘削深度よりも深い位置まで打ち込み、
前記鋼管部材の各々の内部に上部が前記第１の方向に水平方向に交わる第２の方向に曲げられた鋼管挿入筋を挿入し、それによって、前記第２の方向に延びる複数の鋼管挿入筋が配置され、
前記複数の鋼管挿入筋の上で前記第１の方向に横筋を配置し、
前記縦筋は、下部が前記第２の方向に曲げられており、
前記縦筋の前記曲げられた部分と前記横筋とを結合し、それによって、前記縦筋を前記第１の方向において所定の間隔に配置し、
前記縦穴の空間内を含む基礎構築部にコンクリートを打設する、基礎の施工方法。
【請求項２】
第１の方向に複数設けられる縦筋を保持するための基礎の施工方法であって、
前記縦筋の立設位置近傍に複数の縦穴を掘削し、
前記縦穴内に鋼管部材を、前記縦穴の掘削深度よりも深い位置まで打ち込み、
前記鋼管部材の各々に、前記鋼管部材を貫通して、前記第１の方向に対して水平方向に交わる第２の方向に延びるかんざし筋を挿入し、それによって、前記第２の方向に延びる複数のかんざし筋が配置され、
前記複数のかんざし筋に結合させて前記第１の方向に横筋を配置し、
前記縦筋は、下部が前記第２の方向に曲げられた部分を有し、
前記縦筋の曲げられた部分と前記横筋とを結合し、それによって、前記縦筋を前記第１の方向において所定の間隔に配置し、
前記縦穴の空間内を含む基礎構築部にコンクリートを打設する、基礎の施工方法。
【発明の詳細な説明】
【技術分野】
【０００１】
この発明は、基礎の施工方法に関し、特に、ブロック塀基礎やメーソンリ構造物の基礎のように、所定の間隔で縦筋を設ける必要のある基礎の施工方法に関する。
【背景技術】
【０００２】
従来のブロック塀基礎の施工方法が、たとえば、特開２０００−２３０３５１号公報（特許文献１）に開示されている。同公報によれば、基礎の上に複数個のブロックを積み上げてモルタルによって固定することによって構成するブロック塀において、隣接する複数個のブロックの間を通りながら基礎に立てられたブロック塀用支柱と、ブロック塀用支柱に対して略直角方向に架けられた横架棒とを備えている。
【特許文献１】特開２０００−２３０３５１号公報（図１から３およびそれに関係する説明）
【発明の開示】
【発明が解決しようとする課題】
【０００３】
従来のブロック塀のような建造物の基礎の施工方法は上記のようなものであった。建造物の縦横方向に支柱および横架棒を配して、ブロック塀基礎の強度の増加を図っていた。
【０００４】
しかしながら、従来の建造物の基礎の施工方法においては、施工時にブロック塀基礎に杭を打つ場合は、施工時の支柱や縦筋との位置のずれ等に対する配慮は一切されていなかった。すなわち、一般には、基礎の杭となる鋼管部材を打ち込んで、その中に縦筋を通し、縦筋でブロック塀のような構造物を支持する。したがって、鋼管部材の位置と縦筋の位置とは本来一致するはずである。しかしながら、実際には鋼管部材の位置とブロックの支持部材となる縦筋の位置とが同じにならない場合があった。また、基礎が浅く、強度が不十分であり、大きな地震があった場合には、大きな被害が発生するおそれがあった。
【０００５】
この発明は、上記のような従来の課題に鑑みてなされたもので、大きな地震に対しても十分な強度を有し、かつ基礎の基礎杭となる鋼管部材と建造物を支持する縦筋位置とがずれても容易に対処が可能な基礎の施工方法を提供することを目的とする。
【課題を解決するための手段】
【０００６】
この発明に係る、第１の方向に複数設けられる縦筋を保持するための基礎の施工方法は、縦筋の立設位置近傍に複数の縦穴を掘削し、縦穴内に鋼管部材を、縦穴の掘削深度よりも深い位置まで打ち込み、鋼管部材の各々の内部に上部が第１の方向に水平方向に交わる第２の方向に曲げられた鋼管挿入筋を挿入し、それによって、第２の方向に延びる複数の縦筋が配置され、複数の縦筋の上で前記第１の方向に横筋を配置し、縦筋は、下部が第２の方向に曲げられており、縦筋の前記曲げられた部分と横筋とを結合し、それによって、縦筋を第１の方向において所定の間隔に配置し、縦穴の空間内を含む基礎構築部にコンクリートを打設する。
【０００７】
縦筋は、下部が第２の方向に曲げられており、縦筋の曲げられた部分と横筋とを結合することによって、縦筋を第１の方向において所定の間隔に配置できる。
【０００８】
その結果、大きな地震に対しても十分な強度を有し、かつ基礎杭となる鋼管部材と建造物の縦筋位置とがずれても容易に対処が可能な基礎の施工方法を提供できる。
【０００９】
この発明の他の局面においては、第１の方向に複数設けられる縦筋を保持するための基礎の施工方法は、縦筋の立設位置近傍に複数の縦穴を掘削し、縦穴内に鋼管部材を、縦穴の掘削深度よりも深い位置まで打ち込み、鋼管部材の各々に、鋼管部材を貫通して第１の方向に対して水平方向に交わる第２の方向に延びるかんざし筋を挿入し、それによって、第２の方向に延びる複数のかんざし筋が配置され、複数のかんざし筋に結合させて第１の方向に横筋を配置し、縦筋は、下部が第２の方向に曲げられた部分を有し、縦筋の曲げられた部分と横筋とを結合し、それによって、縦筋を第１の方向において所定の間隔に配置し、縦穴の空間内を含む基礎構築部にコンクリートを打設する。
【００１０】
縦筋は、下部が第２の方向に曲げられており、縦筋の曲げられた部分と横筋とを結合し、それによって、縦筋を第１の方向において所定の間隔に配置できる。
【００１１】
その結果、大きな地震に対しても十分な強度を有し、かつ基礎となる鋼管部材と建造物の縦筋位置とがずれても容易に対処が可能な基礎の施工方法を提供できる。
【発明を実施するための最良の形態】
【００１２】
以下、本発明のブロック塀の施工方法の一実施の形態を図面を参照して説明する。図１〜図４は、この発明にかかる基礎の施工方法の前処理を示す図である。
【００１３】
まず、図１に示すように、ブロック塀を建造する位置の地盤を、例えば、深度Ｈ１：１００〜２００ｍｍ程度、溝状に掘削して、基礎４４（図４参照）を構築する部分となる掘削溝１１を形成する。この場合、掘削溝１１の底面は、できるだけ平坦に形成することが望ましい。
【００１４】
次に、この掘削溝１１の底面に、ゲージ１２を敷設する。このゲージ１２は、後に説明する、鋼管挿入筋２１（図４参照）の立設間隔Ｌ（図２参照、たとえば、Ｌ：８００ｍｍ）ごとに、孔が設けられる。この孔の直径は、後述の鋼管部材１５を押通することができる大きさで、かつ、あまり大きすぎない寸法に設定する。
【００１５】
また、このゲージ１２は、全長を取り扱いやすい長さに形成し、必要に応じて、ゲージ１２の端部に形成した接続部を介して、複数のゲージ１２を接続して用いるようにする。そして、この状態で、ゲージ１２に形成した孔の位置に、ペンキ等のマーキング材１３を用いて、マーキングを施す。
【００１６】
次に、図２に示すように、ゲージ１２を除去し、マーキングを施した位置に、複式スコップ等の適宜の掘削工具を用いて、縦穴１４を形成する。
【００１７】
この縦穴１４は、特に限定されるものではないが、例えば、直径を後述の鋼管部材１５の直径の２〜８倍の直径６０〜３５０ｍｍ程度に、また、深度Ｈ２：３００〜１０００mm程度に形成するようにする。
【００１８】
そして、縦穴１４は、図２（Ａ）に示すように、ストレートに掘削するほか、図２（Ｂ）に示すように、底部より開口部が大きくなるように（この場合、図示するように、多段状に形成したり、すり鉢状に形成することができる）掘削することができ、杭頭補強部を大きくして、一層強度のある基礎を構築することができる。
【００１９】
そして、図３に示すように、掘削溝１１の底面に、ゲージ１２を再度敷設し、ゲージ１２に形成した孔に、鋼管部材１５を挿通し、この鋼管部材１５を、ハンマー等の適宜の打撃工具１７を用いて、縦穴１４の深度Ｈ２より深い位置、例えば、深度Ｈ３：２００〜１０００ｍｍ程度まで、打ち込んで配設するようにする。このように、鋼管部材１５を打ち込んで配設するようにするため、鋼管部材１５を打ち込んだ周囲の地盤を締め固めることができ、鋼管部材１５を安定して立設する（自立させる）ことができる。
【００２０】
このとき、鋼管部材１５の上端は、縦穴１４より上方の掘削溝１１内に位置するようにする。このように、鋼管部材１５の上端を掘削溝１１内に位置するようにすることにより、縦穴１４の空間４６内を含む掘削溝１１にコンクリートを打設して基礎４４を構築したとき、鋼管部材１５の上端が、基礎４４内に埋投され、鋼管部材１５と、縦穴１４の空間４６内を含む掘削溝１１に打設したコンクリート、すなわち、基礎４４との一体性を確保することができる。
【００２１】
ブロック塀の基礎となる鋼管部材１５は上記のように位置決めが行われる。しかしながら、コンクリート製の基礎のような土木構造物においては、鋼管部材１５の位置を必ずしも正確に、また垂直に打ち込めるわけではない。
【００２２】
図４は、鋼管部材１５と鋼管挿入筋２１との位置関係を示す図である。図４を参照して、鋼管挿入筋２１が鋼管部材１５内に位置するように配置され、鋼管部材の１５の上部で水平方向に直角に曲げられている。また、鋼管部材１５の上部の所定の位置には穴が設けられており、その穴を介してかんざし筋２２が挿入される。かんざし筋２２が挿入された状態で上記のようにコンクリートが打設されるため、鋼管部材１５は引き抜きにも強くなり、確実に基礎としてコンクリートに埋め込まれる。なお、ここでは鋼管部材１５の厚さを示していないが実際には図７に示すように所定の厚さを有している。また、鋼管挿入筋２１は、その下端部が鋼管部材１５の内部の端部に接触するように配置されるのが好ましい。
【００２３】
図５（Ａ）および（Ｂ）は、図４においてＶ−Ｖで示す部分の拡大図である。図５（Ａ）を参照して、鋼管部材１５に挿入された鋼管挿入筋２１は水平方向に曲げられている。水平方向に曲げられた鋼管挿入筋２１に交わるように複数の横筋２４ａ〜２４ｃが配設される。この横筋２４ａ〜２４ｃを介して、後に説明するブロック塀を支える縦筋２８の水平方向に曲げられた部分が支持される。
【００２４】
ここで、縦筋２８の水平に曲げられた内側部分には、鉄筋２９が設けられている。また、鋼管部材１５の上端部には、その中央部で鋼管挿入筋２１を保持するための図示の無い縦筋ホルダが設けられており、それによって、鋼管挿入筋２１は図に示すように鋼管部材１５の中央部に保持されている。
【００２５】
図６は図５（Ａ）においてＶＩ-ＶＩで示す部分の平面図である。図６を参照して、鋼管部材１５ａ〜１５ｄは所定のゲージにあわせて設置されるが、実際は土木工事であるため、寸法の正確さは期待できない。そこでこの発明では、基礎となる複数の鋼管部材１５に挿入された鋼管挿入筋２１を図に示すように水平方向に曲げ、それに横筋２４ａ〜２４ｃを支持させ、これを介してブロック塀の縦筋２８ａ〜２８ｄを保持する。ここで、鋼管挿入筋２１、横筋２４および縦筋２８とは相互に図示の無い結束線等で固定されている。なお、これらは相互にかんざし筋等を用いて固定してもよい。
【００２６】
このようにして縦筋２８ａ〜２８ｄを保持することにより、鋼管部材１５ａ〜１５ｄの間隔ｂ１〜ｂ３に拘わらず、縦筋２８ａ、２８ｂ、２８ｃおよび２８ｄの間は等しい寸法ａに保つことができる。
【００２７】
図５（Ｂ）は、鋼管部材１５が斜め方向にゆがんで打ち込まれたときの、図５（Ａ）に対応する図である。本来鋼管部材１５は図５（Ａ）に示したように、垂直方向に打ち込まれる。しかしながら、実際には鋼管部材１５は垂直方向に打ち込まれるとは限らず、斜め方向に打ち込まれる場合がある。この場合は、鋼管部材１５に対して縦筋２８の角度を曲げて、鋼管部材１５の向きに拘わらず縦筋２８が垂直上方向に向ける必要がある。この場合において、縦筋２８の曲げられた部分と垂直方向とのなす角度を直角以外の角度に曲げて縦筋２８が垂直上方に向くようにする。こうすることによって、鋼管部材１５の打ち込み方向に拘わらず、確実に所定の位置に垂直上方に向かって縦筋２８を配設することが可能になる。
【００２８】
図７は、縦筋２８の位置決めをする場合の他の実施の形態を示す図である。図７（Ａ）は図６に対応する、鋼管部材１５と縦筋２８との位置関係を示す図であり、図７（Ｂ）は、図７（Ａ）において、Ｂ−Ｂで示す部分の断面図である。図７（Ｂ）を参照して、鋼管部材１５の上部には水平方向に複数の穴が設けられており、この穴には長手のかんざし筋２３が挿入される。この実施の形態においては、このかんざし筋２３を介して横筋２４が保持される。縦筋２８は所定の位置で水平方向に曲げられ、その曲げられた位置の内側には図６と同様に、鉄筋２９が設けられる。縦筋２８は横筋２４を介して所定の間隔に保持される。なお、ここでは、理解の容易のために、鋼管部材１５の所定の厚さを示している。
【００２９】
また、ここでは、鋼管部材１５の内部に鋼管挿入筋を挿入していないが、鋼管挿入筋を挿入するほうが、強度的には好ましい。
【００３０】
また、ここでは、かんざし筋２３と縦筋２８の水平方向に曲げられた部分とが同一平面に存在するように説明したが、これに限らず、異なるレベルであってもよい。
【００３１】
また、図７においては、鋼管部材１５が垂直方向にまっすぐ配置された場合について説明したが、鋼管部材１５が斜め方向に打ち込まれても、かんざし筋２３および／または縦筋２８を図５（Ｂ）に示すように曲げることにより、縦筋２８を所定の垂直上方に向けることが可能である。
【００３２】
また、ここでは、かんざし筋２３が縦筋２８の水平方向に曲げられた方向と平行になる場合について説明したが、図６に示すようにかんざし筋２２は任意の方向に向いていてもよい。
【００３３】
図８は、鋼管部材１５に対して、鋼管挿入筋２１および横筋２４を介して保持された縦筋２８により複数のブロック３０を保持して形成されたブロック塀５０の要部を示す模式的斜視図である。なお、図中では、一部省略しているが、ブロック塀５０の下部と鋼管挿入筋２１、横筋２４等を含む鉄筋との間には、基礎コンクリート４５が打設される。
【００３４】
図８に示すように、ブロック塀５０を支持する縦筋２８の位置が基礎となる鋼管部材１５の設置位置からずれていても、縦筋２８は所望の位置に位置決めできるため、たとえ大きな地震が有ったとしてもブロック塀が倒れるようなことはない。
【００３５】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３６】
【図１】この発明の一実施の形態に係るブロック塀基礎の施工の前処理順序を示す図である。
【図２】基礎の施工方法の施工順序を示す縦断面図で、（Ａ）は縦穴をストレートに掘削する場合、（Ｂ）は縦穴を底部より開口部が大きくなるように掘削する場合を示す。
【図３】基礎の施工方法の施工順序を示す縦断面図である。
【図４】鋼管部材に鋼管挿入筋を挿入し、かんざし筋を取り付けた状態を示す図である。
【図５】図４においてＶ−Ｖで示す部分の矢視図である。
【図６】図５においてＶＩ−ＶＩで示す部分の平面図である。
【図７】この発明の他の実施の形態における平面図である。
【図８】ブロック塀と基礎との関係を示す図である。
【符号の説明】
【００３７】
１１  掘削溝、１２  ゲージ、１３  マーキング剤、１４  縦穴、１５  鋼管部材、１６  打撃用キャップ、１７  打撃工具、２１  鋼管挿入筋、２２、２３  かんざし筋、２４  横筋、２８  縦筋、３０  ブロック、５０  ブロック塀。
【図１】
2005290804.tif 000003
【図２】
2005290804.tif 000004
【図３】
2005290804.tif 000005
【図４】
2005290804.tif 000006
【図５】
2005290804.tif 000007
【図６】
2005290804.tif 000008
【図７】
2005290804.tif 000009
【図８】
2005290804.tif 000010